(57)【要約】【課題】多様な形状または位置にも対応して草刈作業を行うことができる草刈機を提供することを課題とする。【解決手段】走行機２と、刈刃１１を備える草刈部３と、を具備し、走行機２を走行させながら草刈部３の刈刃１１によって草を刈るように構成される、草刈機１であって、草刈部３は、刈刃１１が走行機２の側方に延出するように配置されるとともに、刈刃１１の左右位置、刈刃１１の上下位置、または、刈刃１１の走行機から延出する上下方向の角度、を変更可能に構成されるものとする。【選択図】図１
2015112060.tif 000002
【特許請求の範囲】
【請求項１】
走行機と、刈刃を備える草刈部と、を具備し、前記走行機を走行させながら前記草刈部の刈刃によって草を刈るように構成される、草刈機であって、
前記草刈部は、前記刈刃が前記走行機の側方に延出するように配置されるとともに、前記刈刃の左右位置、前記刈刃の上下位置、または、前記刈刃の走行機から延出する上下方向の角度、を変更可能に構成される、
草刈機。
【請求項２】
前記草刈部は、前記刈刃とともに上下回動支点を中心にして上下方向に回動することによって前記刈刃の走行機から延出する上下方向の角度を変更する、上下回動部を備え、
前記草刈部の上下回動部は、前記刈刃が水平方向に延出した状態において前記上下回動支点よりも下方に位置するように構成される、
請求項１に記載の草刈機。
【請求項３】
前記草刈部の上下回動部は、前記刈刃が水平方向よりも下方に延出した状態となるように、下方に回動可能に構成される、
請求項２に記載の草刈機。
【請求項４】
前記草刈部は、前記上下回動部に取付けられて前記刈刃とともに前記前後回動支点を中心にして前後方向に回動する前後回動部と、前記前後回動部を前方に付勢する付勢部材と、を備える、
請求項３に記載の草刈機。
【発明の詳細な説明】
【技術分野】
【０００１】
本発明は、草刈機の技術に関する。
【背景技術】
【０００２】
従来、草を刈る草刈機に関する技術は、種々知られている。前記草刈機は、例えば、高速道路の中央分離帯の草刈作業に用いられる。
前記草刈機には、エンジンを動力源として刈刃を動作させ、作業者が手で保持した状態で歩行しながら草刈作業を行うように構成されるもの（例えば、トリマ刃を備えるヘッジトリマ）がある。前記草刈機では、このように作業者が手で保持した状態で歩行しながら草刈作業を行うように構成されることから、作業員の作業負担が大きくなることが知られている。
【０００３】
また、前記草刈機には、前記作業者の作業負担を軽減させるために、走行機と草刈部とを具備し、走行機を走行させながら草刈部の刈刃によって草を刈るように構成されるものが公知となっている（特許文献１参照）。
【先行技術文献】
【特許文献】
【０００４】
【特許文献１】特開平７−１４７８２７号公報
【発明の概要】
【発明が解決しようとする課題】
【０００５】
しかしながら、前記草刈機において草刈作業を行う場所は、その形状または位置がそれぞれの場所によって異なり多様である。
このため、草刈作業を行う場合には、例えば、草刈部の刈刃の走行機から延出する角度を所定の角度に保った状態で、草刈部の刈刃を上下および／または左右に移動させながら、走行機を走行させて草刈作業を行うことを要することがある。
もっとも、前記草刈機では、草刈部の刈刃の走行機から延出する角度または位置を変更することができず、多様な形状または位置に対応して草刈作業を行うことが困難であった。
【０００６】
本発明は以上の如き状況に鑑みてなされたものであり、多様な形状または位置にも対応して草刈作業を行うことができる草刈機を提供することを課題とする。
【課題を解決するための手段】
【０００７】
本発明の解決しようとする課題は以上の如くであり、次にこの課題を解決するための手段を説明する。
【０００８】
即ち、請求項１においては、走行機と、刈刃を備える草刈部と、を具備し、前記走行機を走行させながら前記草刈部の刈刃によって草を刈るように構成される、草刈機であって、前記草刈部は、前記刈刃が前記走行機の側方に延出するように配置されるとともに、前記刈刃の左右位置、前記刈刃の上下位置、または、前記刈刃の走行機から延出する上下方向の角度、を変更可能に構成されるものである。
【０００９】
請求項２においては、前記草刈部は、前記刈刃とともに上下回動支点を中心にして上下方向に回動することによって前記刈刃の走行機から延出する上下方向の角度を変更する、上下回動部を備え、
前記草刈部の上下回動部は、前記刈刃が水平方向に延出した状態において前記上下回動支点よりも下方に位置するように構成されるものである。
【００１０】
請求項３においては、前記草刈部の上下回動部は、前記刈刃が水平方向よりも下方に延出した状態となるように、下方に回動可能に構成されるものである。
【００１１】
請求項４においては、前記草刈部は、前記上下回動部に取付けられて前記刈刃とともに前記前後回動支点を中心にして前後方向に回動する前後回動部と、前記前後回動部を前方に付勢する付勢部材と、を備えるものである。
【発明の効果】
【００１２】
本発明によれば、より多様な形状または位置にも対応して、草刈作業を行うことができる。
【図面の簡単な説明】
【００１３】
【図１】本発明の実施形態に係る草刈機の全体的な構成を示した背面図。
【図２】同じく右側面図。
【図３】同じく背面図。
【図４】同じく部分背面図。
【図５】同じく部分背面図。
【図６】同じく部分平面図。
【図７】同じく部分平面図。
【図８】同じく部分背面図。
【図９】同じく背面図。
【発明を実施するための形態】
【００１４】
次に、図１から図９を用いて、本発明の実施形態に係る草刈機１について説明する。
なお以下において、図中に示す矢印Ｆの方向は草刈機１の前進方向を示し、左右方向とは草刈機１の前後方向に対して左右方向を示すものとして説明する。
【００１５】
図１または図２に示すように、草刈機１は、走行機２と、草刈部３と、を具備し、走行機２を走行させながら草刈部３の刈刃１１によって草を刈るように構成される。
【００１６】
草刈機１の走行機２は、管理機であり、機体フレーム４と、左右一対の車輪５と、機体から後上方に延出するように設けられる左右のハンドル６と、機体フレーム４に設けられる発電機機能付のエンジン７と、を備える。走行機２は、作業者が左右のハンドル６（左右のハンドル６のグリップ６ａ）を把持した状態で、エンジン７を動力源として車輪５を回転駆動することによって走行するように構成される。
【００１７】
草刈機１の草刈部３は、走行機２の後部に位置するように走行機２に固定される。
草刈部３は、刈刃１１を備える。
草刈部３の刈刃１１は、本体フレーム１０の右方に配置される。刈刃１１は、走行機２の外側に延出するように配置される。刈刃１１は、走行機２の前進方向に対して直交する方向に延出するように配置される。
【００１８】
図１または図３に示すように、草刈部３は、走行機２に近接または離間するように左右方向に刈刃１１を移動可能に構成される。
草刈部３は、走行機２に対して左方に刈刃１１を移動させることによって、刈刃１１（ヘッジトリマ）を走行機２に近接させる。草刈部３は、走行機２に対して右方に刈刃１１を移動させることによって、刈刃１１（ヘッジトリマ）を走行機２から離間させる。
草刈部３は、走行機２に近接または離間するように左右方向に刈刃１１を移動させることによって、走行機２の側方における刈刃１１の左右位置を変更可能に構成される。草刈部３は、走行機２に近接または離間するように刈刃１１を移動させることによって、走行機２の側方における刈刃１１と走行機２との距離を変更可能に構成される。
【００１９】
図１または図４に示すように、草刈部３は、走行機２に対して上下回動支点４１を中心にして上下方向に刈刃１１を回動可能に構成される。草刈部３は、走行機２に対して上下方向に刈刃１１を回動させることによって、刈刃１１の走行機２から延出する上下方向の角度を変更可能に構成される。
【００２０】
図１または図５に示すように、草刈部３は、走行機２に対して上下方向に刈刃１１を移動可能に構成される。草刈部３は、走行機２に対して上下方向に刈刃１１を移動させることによって、刈刃１１（ヘッジトリマ）の上下位置を変更可能に構成される。
【００２１】
図１、図６または図７に示すように、草刈部３は、走行機２に対して前後回動支点５１を中心にして前後方向に刈刃１１を回動可能に構成される。草刈部３は、走行機２に対して上下方向に刈刃１１を回動させることによって、刈刃１１の走行機２から延出する前後方向の角度を変更可能に構成される。
【００２２】
以上のように、草刈機１の草刈部３は、刈刃１１が走行機２の側方に延出するように配置されるとともに、刈刃１１の左右位置、刈刃１１の上下位置、または、刈刃１１の走行機２から延出する上下方向の角度、を変更可能に構成される。
このため、草刈機１では、草刈作業を行う場所の形状または位置に応じて、草刈部３の刈刃１１の左右位置、刈刃１１の上下位置、または、刈刃１１の走行機２から延出する角度を変更して、草刈作業を行うことができる。
したがって、草刈機１によれば、より多様な形状または位置にも対応して、草刈作業を行うことができる。
【００２３】
図１または図２に示すように、草刈部３は、本体フレーム１０と、一個の車輪１２と、バッテリ１４と、操作部１５と、刈刃用エンジン１６と、左右移動部２０と、左右移動支持部２１と、左右移動シリンダ２２と、上下移動部３０と、上下移動支持部３１と、上下移動シリンダ３２と、上下回動部４０と、上下回動シリンダ４２と、前後回動部５０と、付勢部材５２と、を備える。
【００２４】
草刈部３の本体フレーム１０は、走行機２の機体フレーム４に固定される。本体フレーム１０は、走行機２の後部から後方に延出するように配置される。
【００２５】
草刈部３の車輪１２は、本体フレーム１０に取付けられる。車輪１２は、本体フレーム１０の後端部に配置される。
【００２６】
草刈部３のバッテリ１４は、走行機２のエンジン７（エンジン７の発電機）から供給される電力を蓄電する。バッテリ１４において蓄電される電力は、各種シリンダ（左右移動シリンダ２２、上下移動シリンダ３２、および、上下回動シリンダ４２）が動作するために用いられる。
草刈部３のバッテリ１４は、ケース１７内に配置される。また、ケース１７内には、ヘッジトリマの補給用ガソリンとメンテナンス用の油脂類が収納される。
【００２７】
草刈部３の各種シリンダ（左右移動シリンダ２２、上下移動シリンダ３２、および、上下回動シリンダ４２）は、走行機２のエンジン７（エンジン７の発電機）から供給される電力、または、バッテリ１４において蓄電される電力によって動作するように構成される。
【００２８】
草刈部３の操作部１５は、操作レバー及び操作スイッチ等を備え、操作レバーまたは操作スイッチが操作されることによって、草刈部３の各種動作を行えるように構成される。
【００２９】
草刈部３の刈刃１１は、刈刃用エンジン１６と一体的に構成されて、刈刃用エンジン１６を動力源として動作するヘッジトリマとして構成される。刈刃１１は、草を刈るトリマ刈刃であり、片刃式に構成される。
刈刃１１および刈刃用エンジン１６（ヘッジトリマ）は、前後回動部５０に着脱可能に固定される。刈刃１１および刈刃用エンジン１６（ヘッジトリマ）は、前後回動部５０を介して上下回動部４０に取付けられる。
【００３０】
図１または図３に示すように、草刈部３の左右移動部２０は、本体フレーム１０に対して、刈刃１１、左右移動部２０、上下移動部３０、および、左右回動部とともに、左右方向に移動可能に構成される。左右移動部２０は、左右方向に移動することによって、走行機２の側方における刈刃１１の左右位置を変更するように構成される。左右移動部２０は、左右移動シリンダ２２が伸縮動作することによって、左右方向に移動するように構成される。左右移動部２０は、左右方向の所定の位置で移動動作を停止することができるように構成される。
左右移動部２０は、横フレーム２３と、内側縦フレーム２４と、外側縦フレーム２５と、上下一対の支持フレーム２６と、突出フレーム２７と、を有し、これらが連接されて一体的に構成される。
左右移動部２０は、内側縦フレーム２４と外側縦フレーム２５と一対の支持フレーム２６とで、略長方形の枠状に構成される。左右移動部２０は、内側縦フレーム２４と外側縦フレーム２５とが平行するように左右に配置され、一対の支持フレーム２６が内側縦フレーム２４と外側縦フレーム２５とにそれぞれ連接されて構成される。左右移動部２０は、上方の支持フレーム２６の左右中央から上方に突出するように突出フレーム２７が支持フレーム２６に連接されて構成される。左右移動部２０は、横フレーム２３の一端（右端）が内側縦フレーム２４の上下略中央部に連接されて構成される。
左右移動部２０は、左右移動支持部２１を介して本体フレーム１０に取付けられる。左右移動部２０は、横フレーム２３が左右移動支持部２１に支持された状態で走行機２の左右を亘るように配置され、内側縦フレーム２４と外側縦フレーム２５と一対の支持フレーム２６とが走行機２の右側方に位置するように配置される。
【００３１】
草刈部３の左右移動支持部２１は、左右移動部２０（左右移動部２０の横フレーム２３）を支持するように構成される。左右移動支持部２１は、本体フレーム１０に固定される。
【００３２】
図１または図３に示すように、草刈部３の左右移動シリンダ２２は、電動シリンダであり、伸縮動作をすることによって、左右移動部２０を左右方向に移動させるように構成される。左右移動シリンダ２２は、操作部１５が操作されることによって、伸縮動作を行うように構成される。
左右移動シリンダ２２は、一端部（左端部）が本体フレーム１０に接続され、他端部（右端部）が左右移動部２０の内側縦フレーム２４に接続されて構成される。
【００３３】
草刈部３の上下移動部３０は、本体フレーム１０および左右移動部２０に対して、刈刃１１、上下移動部３０、および、左右回動部とともに、上下方向に移動可能に構成される。上下移動部３０は、上下方向に移動することによって、走行機２の側方における刈刃１１の上下位置を変更するように構成される。上下移動部３０は、上下移動シリンダ３２が伸縮動作することによって、上下方向に移動するように構成される。上下移動部３０は、上下方向の所定の位置で移動動作を停止することができるように構成される。
上下移動部３０は、背面視略Ｌ字状に構成される。
上下移動部３０は、上下移動支持部３１を介して左右移動部２０（左右移動部２０の外側縦フレーム２５）に取付けられる。上下移動部３０は、走行機２の右方に配置される。上下移動部３０は、左右移動部２０の右方に配置される。上下移動部３０は、上下移動支持部３１によって支持された状態で一端部３３が上方に延出するとともに、他端部３４が走行機２側と反対側（走行機２の右側方）に延出するように配置されて構成される。
【００３４】
草刈部３の上下移動支持部３１は、上下移動部３０を支持するように構成される。上下移動支持部３１は、上下移動部３０（上下移動部３０の一端部３３の下部）に固定される。
【００３５】
草刈部３の上下移動シリンダ３２は、電動シリンダであり、伸縮動作をすることによって、上下移動部３０を上下方向に移動させるように構成される。上下移動シリンダ３２は、操作部１５が操作されることによって、伸縮動作を行うように構成される。
上下移動シリンダ３２は、一端部（上端部）が左右移動部２０（左右移動部２０の突出フレーム２７）に接続され、他端部（下端部）が上下移動支持部３１に接続されて構成される。
【００３６】
図１、図４または図８に示すように、草刈部３の上下回動部４０は、本体フレーム１０、左右移動部２０、および、上下移動部３０に対して、刈刃１１および左右回動部とともに、上下回動支点４１を中心にして上下方向に回動可能に構成される。上下回動部４０は、上下方向に回動することによって、刈刃１１の走行機２から延出する上下方向の角度を変更するように構成される。上下回動部４０は、上下回動シリンダ４２が伸縮動作することによって、上下方向に回動するように構成される。上下回動部４０は、上下方向に回動することによって、刈刃１１が上方に延出した状態から側方に延出した状態、または、刈刃１１が側方に延出した状態から上方に延出した状態、に変更する。上下回動部４０は、刈刃１１が鉛直方向に延出した状態となるように、上方に回動可能に構成される。上下回動部４０は、刈刃１１が水平方向よりも下方（水平方向に対して−１３度）に延出した状態となるように、下方に回動可能に構成される。上下回動部４０は、所定の回動角度で回動動作を停止することができるように構成される。
上下回動部４０は、平板状の部材が屈曲するように形成されて、背面視略Ｌ字状に構成される。
上下回動部４０は、走行機２の右方に配置される。上下回動部４０は、左右移動部２０および上下移動部３０の右方に配置される。上下回動部４０は、刈刃１１が上方に延出した状態で、一端部４４が走行機２側（上下移動部３０側）に延出するとともに、他端部４５が上方に延出するように配置される。
上下回動部４０は、支持ピン４３を介して上下移動部３０に取付けられる。上下回動部４０は、上下回動部４０の一端部４４が支持ピン４３を介して上下移動部３０に取付けられ、支持ピン４３を上下回動支点４１として上下方向に回動可能に構成される。
上下回動部４０は、刈刃１１が上方に延出した状態において、他端部４５および屈曲する部分（以下「屈曲部」と称する）が上下回動支点４１よりも外側に位置するように構成される。上下回動部４０は、刈刃１１が側方（水平方向）に延出した状態において、他端部４５および屈曲部が上下回動支点４１よりも下方に位置するように構成される。上下回動部４０は、鉛直方向（上方）に延出した状態において、上下回動支点４１よりも外側に刈刃１１が位置するように構成される。上下回動部４０は、水平方向（側方）に延出した状態において、上下回動支点４１よりも下方に刈刃１１が位置するように構成される。
【００３７】
草刈部３の上下回動シリンダ４２は、電動シリンダであり、伸縮動作をすることによって、上下回動部４０を上下方向に回動させるように構成される。上下回動シリンダ４２は、操作部１５が操作されることによって、伸縮動作を行うように構成される。
上下回動シリンダ４２は、一端部（上端部）が上下移動部３０（上下移動部３０の一端部３３の上端部）に接続され、他端部（下端部）が上下回動部４０（上下回動部４０の他端部４５）に接続されて構成される。
【００３８】
以上のように、草刈機１の草刈部３の上下回動部４０は、刈刃１１が鉛直方向に延出した状態となるように上方に回動可能に構成される。草刈部３は、刈刃１１が鉛直方向に延出した状態において、左右移動部２０が右方向に移動することによって、走行機２の側方における刈刃１１の左右位置を変更し、また、上下移動部３０が上下方向に移動することによって走行機２の側方における刈刃１１の上下位置を変更するように構成される。
このため、草刈機１では、草刈部３の上下回動部４０を上方に回動させた状態にして、剪定対象物の形状または位置に応じて刈刃１１の左右位置または刈刃１１の上下位置を変更して、剪定作業を行うことができる。
したがって、草刈機１によれば、より多様な形状または位置にも対応して、剪定作業を行うことができる。
【００３９】
また以上のように、草刈機１の草刈部３の上下回動部４０は、刈刃１１が水平方向よりも下方（水平方向に対して−１３度）に延出した状態となるように、下方に回動可能に構成される。
このため、草刈機１では、例えば、草刈作業を行う場所に対して走行する路面が下方に傾斜している場合（例えば、高速道路のカーブ）であっても、草刈作業を行う場所に平行するように刈刃１１を延出させることができる。
したがって、草刈機１によれば、草刈作業を行う場所に対して走行する路面が下方に傾斜している場合であっても、効率良く草刈作業を行うことができる。
【００４０】
また以上のように、草刈機１の草刈部３の上下回動部４０は、刈刃１１とともに上下回動支点４１を中心にして上下方向に回動することによって刈刃１１の走行機２から延出する上下方向の角度を変更するように構成される。また、草刈部３の上下回動部４０は、背面視略Ｌ字状に構成されて、刈刃１１が上方に延出した状態で一端部４４が走行機２側に延出するとともに他端部４５が上方に延出するように配置され、刈刃１１が水平方向に延出した状態において上下回動支点４１よりも下方に位置するように構成される。
このため、草刈機１では、縁石等の障害物が走行機２の側方にあった場合でも、障害物が所定の高さのものであれば、下方に回動した上下移動部３０の他端部３４（下面）が障害物に当接することなく、障害物の外側において刈刃１１が水平方向に延出した状態とすることができる。
したがって、草刈機１によれば、縁石等の障害物が走行機２の側方にあり、障害物の外側の草刈作業を行う場合であっても、効率良く草刈作業を行うことができる。
【００４１】
図１、図２、図６または図７に示すように、草刈部３の前後回動部５０は、本体フレーム１０、左右移動部２０、上下移動部３０、および、上下回動部４０に対して、刈刃１１とともに、左右回動支点を中心にして左右方向に回動可能に構成される。前後回動部５０は、前後方向に回動することによって、刈刃１１の走行機２から延出する前後方向の角度を変更するように構成される。前後回動部５０は、前後方向に回動することによって、刈刃１１が走行機２の前進方向に対して直交する方向に延出した状態から走行機２の前進方向に対して斜め後方に延出した状態、または、刈刃１１が走行機２の前進方向に対して斜め後方に延出した状態から走行機２の前進方向に対して直交する方向に延出した状態、に変更する。前後回動部５０は、刈刃１１が走行機２の前進方向に対して直交する方向に延出した状態となるように、前方に回動可能に構成される。前後回動部５０は、刈刃１１が走行機２の前進方向に対して斜め後方（走行機２の前進方向に対して略１３５度）に延出した状態となるように、後方に回動可能に構成される。前後回動部５０は、刈刃１１の走行機２から延出する角度が略４５度の範囲で前後方向に回動する。
前後回動部５０は、付勢部材５２によって前方に付勢される。
前後回動部５０は、略板状に構成される。
前後回動部５０は、走行機２の右方に配置される。前後回動部５０は、左右移動部２０および上下移動部３０の右方に配置される。前後回動部５０は、支持ピン５３を介して上下回動部４０に取付けられる。前後回動部５０は、支持ピン５３を介して上下回動部４０（前後回動部４０の他端部４５）に取付けられ、支持ピン５３を前後回動支点５１として前後方向に回動可能に構成される。
【００４２】
草刈部３の付勢部材５２は、コイルバネであり、前後回動部５０を前方に付勢するように構成される。
付勢部材５２は、刈刃１１が前方から受ける圧力が所定の圧力より小さい場合または刈刃１１が前方から圧力を受けない場合に前後回動部５０が前方に回動するように、前後回動部５０を前方に付勢する。付勢部材５２は、刈刃１１が前方から受ける圧力が所定の圧力よりも大きい場合に、前後回動部５０が付勢部材５２の付勢力に反して後方に回動するように、前後回動部５０を前方に付勢する。付勢部材５２は、草刈作業を行っているときに、刈刃１１が前方から受ける圧力が比較的大きい場合には、前後回動部５０が付勢部材５２の付勢力に反して後方に回動するように、前後回動部５０を前方に付勢する。
【００４３】
草刈部３の刈刃用エンジン１６および前後回動部５０は、上下回動部４０の他端部４５に配置される。刈刃用エンジン１６および前後回動部５０は、上下回動部４０の他端部４５の内側の面（走行機２側）に配置される。刈刃用エンジン１６および前後回動部５０は、屈曲する部分に近接するように配置される。
【００４４】
以上のように、草刈機１の草刈部３の前後回動部５０は、上下回動部４０に取付けられて刈刃１１とともに前後回動支点５１を中心にして前後方向に回動するように構成される。草刈部３の付勢部材５２は、刈刃１１が前方から受ける圧力が所定の圧力よりも大きい場合に、前後回動部５０が付勢部材５２の付勢力に反して後方に回動するように、前後回動部５０を前方に付勢する。
このため、草刈機１では、草刈作業を行っているときに草刈部３の刈刃１１が前方から受ける圧力が所定の圧力よりも大きい場合であっても、前後回動部５０が後方に回動して、草刈作業時の走行機２の前進走行を安定して行うことができる。
【００４５】
草刈部３の車輪１２は、鉛直方向に対して周方向に回動可能に構成される。車輪１２は、ストッパピン１８を操作することによって前記鉛直方向に対して周方向への回動位置を固定可能に構成される。
【００４６】
以上のように、草刈機１の草刈部３の車輪１２は、鉛直方向に対して周方向に回動可能に構成される。車輪１２は、ストッパピン１８を操作することによって前記鉛直方向に対して周方向への回動位置を固定可能に構成される。
このため、草刈機１では、草刈作業を行うときには、車輪１２の周方向への回動位置を固定して、前進走行機２の前進走行を安定させることができ、また、草刈作業を行わないときには、車輪１２の周方向への回動位置を固定せずに、走行機２の前進走行または旋回走行を容易に行うことができる。
【００４７】
図１または図２に示すように、草刈部３の操作部１５は、走行機２のハンドル６に固定される。
操作部１５は、走行機２におけるハンドル６のグリップ６ａの近傍に配置される。操作部１５は、左右のハンドル６のグリップ６ａの間に配置される。操作部１５は、操作レバー及び操作スイッチ等が走行機２におけるハンドル６のグリップ６ａの近傍に位置するように配置される。
【００４８】
以上のように、草刈機１の草刈部３の操作部１５は、走行機２のハンドル６のグリップ６ａの近傍に配置される。
このため、草刈機１では、作業者が左右のハンドル６を把持して走行機２を走行させる際に、草刈部３の操作部１５の操作を行う動作を、容易に行うことができる。
【００４９】
また、図９に示すように、草刈機１の草刈部３の上下回動部４０は、背面視略Ｌ字状に構成するにあたって、平板状の部材のうち二カ所においてそれぞれ鈍角に屈曲させて構成することもできる。
このように、上下回動部４０を構成することによって、刈刃用エンジン１６および前後回動部５０を、上下回動部４０の上下回動支点４１側近傍に配置して、より走行機２側に寄せて配置することができる。
【００５０】
なお、草刈機１の走行機２は、草刈作業を行うにあたって草刈部３を固定した状態で走行可能なものであれば良い。例えば、草刈機１の走行機２は、管理機でなくとも良く、また、人力によって走行するように構成されるものでも良い。
【符号の説明】
【００５１】
１    草刈機
２    走行機
３    草刈部
１１  刈刃
２０  左右移動部
３０  上下移動部
４０  上下回動部
５０  左右回動部
【図１】
2015112060.tif 000003
【図２】
2015112060.tif 000004
【図３】
2015112060.tif 000005
【図４】
2015112060.tif 000006
【図５】
2015112060.tif 000007
【図６】
2015112060.tif 000008
【図７】
2015112060.tif 000009
【図８】
2015112060.tif 000010
【図９】
2015112060.tif 000011